(57)【特許請求の範囲】
【請求項１】
水を密閉型タンクに供給し、その密閉型タンク内の水を各熱源機で加熱して温水とし、その温水を開放型タンクに貯える給湯装置において、
表示部と、
複数の運転パターンが記憶された不揮発性メモリまたは着脱自在な外付けメモリからなる記憶手段と、
前記記憶手段内の各運転パターンのいずれかを選択的に設定する設定手段と、
前記設定手段で設定される運転パターンに応じて給湯装置の運転を制御する運転制御手段と、
を備え、
前記各運転パターンは、各業態に対応した業態別パターンを含み、
前記業態別パターンの中から前記運転パターンを設定する業態別パターン設定手段をさらに備える、
ことを特徴とする給湯装置用リモートコントローラ。
【請求項２】
前記表示部は、タッチパネル式表示部であり、
前記設定手段は、前記記憶手段内の各運転パターンのいずれかを前記タッチパネル式表示部のタッチ操作に応じて選択的に設定する、
ことを特徴とする請求項１に記載の給湯装置用リモートコントローラ。
【請求項３】
前記業態別パターン設定手段で設定された前記業態別パターンを前記給湯装置の基本的な運転パターンとすることを特徴とする請求項１または請求項２に記載の給湯装置用リモートコントローラ。
【請求項４】
任意の曜日または日を指定して前記運転パターンを設定する曜日・日別パターン設定手段を備えたことを特徴とする請求項３に記載の給湯装置用リモートコントローラ。
【請求項５】
前記曜日・日別パターン設定手段で設定された運転パターンは、前記業態別パターン設定手段で設定された運転パターンより優先されることを特徴とする請求項４に記載の給湯装置用リモートコントローラ。
【請求項６】
前記運転パターンの設定用として、少なくとも前記業態別パターン設定画面および前記曜日・日別パターン設定画面を前記タッチパネル式表示部で選択的に表示する表示制御手段、
をさらに備えることを特徴とする請求項３乃至請求項５に記載の給湯装置用リモートコントローラ。
【請求項７】
前記運転パターン設定画面は、前記各熱源機に対する設定加熱能力の表示および前記タンクに対する設定貯湯量の表示を含むことを特徴とする請求項６に記載の給湯装置用リモートコントローラ。
【発明の詳細な説明】
【技術分野】
【０００１】
この発明は、複数の熱源機を備えた給湯装置用のリモートコントローラに関する。
【背景技術】
【０００２】
圧縮機の吐出冷媒を水熱交換器、減圧器、室外熱交換器に通して圧縮機に戻し水熱交換器を凝縮器として機能させるヒートポンプ式冷凍サイクルを備えるとともに、水をタンクに供給し、タンクの水をポンプにより水熱交換器に通して循環させることによりタンクに湯水を貯える給湯装置がある（例えば特許文献１）。
【０００３】
このような給湯装置では、湯の使用量が多い施設での使用が可能なように、上記水熱交換器を有するヒートポンプ式冷凍サイクルおよびその水熱交換器に水を循環させる水サイクルからなる熱源機を複数台設置し、これら熱源機の運転台数を制御できるようにしたものがある。
【特許文献１】特開２００５―３０８２５０号公報
【発明の開示】
【発明が解決しようとする課題】
【０００４】
上記のような給湯装置では、運転条件の手動設定が可能な運転パターン、運転条件の自動設定が可能な運転パターンなど、種々の運転パターンを自由に設定できることが望まれる。
【０００５】
この発明は上記の事情を考慮したもので、その目的は、複数の運転パターンの容易な設定が可能な給湯装置用リモートコントローラを提供することである。
【課題を解決するための手段】
【０００６】
請求項１に係る発明の給湯装置用リモートコントローラは、水を密閉型タンクに供給し、その密閉型タンク内の水を各熱源機で加熱して温水とし、その温水を開放型タンクに貯える給湯装置に関わり、表示部と、複数の運転パターンが記憶された記憶手段と、この記憶手段内の各運転パターンのいずれかを選択的に設定する設定手段と、この設定手段で設定される運転パターンに応じて給湯装置の運転を制御する運転制御手段と、を備える。上記各運転パターンは、各業態に対応した業態別パターンを含む。そして、この業態別パターンの中から前記運転パターンを設定する業態別パターン設定手段をさらに備える。
【発明の効果】
【０００７】
この発明の給湯装置用リモートコントローラによれば、複数の運転パターンの容易な設定が可能となる。
【発明を実施するための最良の形態】
【０００８】
以下、この発明の一実施形態について図面を参照して説明する。  
図１に示すように、複数台の熱源機１が給水側主配管２と給湯側主配管３との間に並列に接続されるとともに、その給水側主配管２および給湯側主配管３との間に密閉型タンク４が接続されている。
【０００９】
密閉型タンク４は、給水側主配管２の水を取込み、その水を給水側主配管２により各熱源機１に供給するとともに、給湯側主配管３の温水を取込んで一旦貯え、その貯えた温水を開放型タンク５に供給する。開放型タンク５は、温水配管６を介して給湯端末に接続されている。また、開放型タンク５に、開放型タンク５内の温水の水位を検出する水位検出手段７が設けられている。この水位検出手段７は、開放型タンク５内の水圧を圧力センサで検知してその検知圧力から水位を検出するもの、開放型タンク５の深さ方向に沿って長さが互いに異なる複数の電極棒を有しその各電極棒の相互間の水を通した通電によって水位を検出する電極棒検出ユニットなど、そのいずれでもよい。
【００１０】
なお、各熱源機１にそれぞれ外気温度センサＴoが設けられている。
【００１１】
給水側主配管２は、水源（図示しない）の水を密閉型タンク４に供給するとともに、その密閉型タンク４内の水を各熱源機１に供給する働きをする。給湯側主配管３は、各熱源機１から流出する温水を密閉型タンク４に供給するとともに、密閉型タンク４内の温水を開放型タンク５に供給する働きをする。開放型タンク５は、給湯側主配管３から供給される温水を貯えて給湯端末へ供給する。
【００１２】
各熱源機１の具体的な構成を図２に示す。  
すなわち、圧縮機１１から吐出される冷媒が四方弁１２を介して水熱交換器１３に流れ、その水熱交換器１３を経た冷媒が減圧器である膨張弁１４、室外熱交換器１５、および上記四方弁１２を通って圧縮機１１に吸込まれる。室外熱交換器１５に外気を供給するための室外ファン１６がその室外熱交換器１５の近傍に設けられている。これら圧縮機１１から室外ファン１６までの機器により、ヒートポンプ式冷凍サイクルが構成されている。  
上記給水側主配管２から第１三方弁２２の第１流路の一端に第１配管２１が接続され、その第１三方弁２２の第１流路および第２流路のそれぞれ他端から上記水熱交換器１３の水入口にポンプ２４を介して第２配管２３が接続されている。さらに、水熱交換器１３の水出口から第２三方弁２６の第３流路および第４流路のそれぞれ一端に第３配管２５が接続され、その第３流路の他端から第１三方弁２２の第２流路の一端に第４配管２７が接続されている。また、第４配管２７の中途部から給湯側主配管３に第５配管２８が接続されるとともに、第２三方弁２６の第４流路の他端から上記第１配管２１に第６配管２９が接続されている。これら第１配管２１から第６配管２９までの部品により、水サイクルが構成されている。
【００１３】
なお、第１三方弁２２は選択的な開閉が可能な第１流路および第２流路を有し、第２三方弁２６は選択的な開閉が可能な第３流路および第４流路を有している。
【００１４】
水熱交換器１３に熱交換器温度センサ３１が取付けられ、第２配管２３における水熱交換器１３の水入口近傍に流入側温度センサ３２が取付けられ、第３配管２５における水熱交換器１３の水出口近傍に流出側温度センサ３３が取付けられている。熱交換器温度センサ３１は、水熱交換器１３の温度（凝縮温度）Ｔc（℃）を検知する。流入側温度センサ３２は、水熱交換器１３に流入する水（または温水）の温度Ｔwi（℃）を検知する。流出側温度センサ３３は、水熱交換器１３から流出する温水（または水）の温度Ｔwo（℃）を検知する。
【００１５】
圧縮機１１と四方弁１２との間の高圧側冷媒配管に吐出冷媒温度センサ４１および高圧スイッチ４２が取付けられ、室外熱交換器１５に熱交換器温度センサ４３が取付けられている。吐出冷媒温度センサ４１は、圧縮機１１の吐出冷媒温度Ｔdを検知する。高圧スイッチ４２は、圧縮機１１の吐出冷媒圧力（高圧側圧力）Ｐｄの異常上昇時に作動する。熱交換器温度センサ４３は、室外熱交換器１５の温度（蒸発温度）Ｔe（℃）を検知する。
【００１６】
一方、各熱源機１および水位検出手段７などが本発明の給湯装置用リモートコントローラ１００に配線接続されている。給湯装置用リモートコントローラ１００は、タッチパネル式表示部としてタッチパネル式液晶表示器１０１を有するとともに、所定の運転パターン（プログラムデータ）が記憶された外付けメモリ２００の着脱が自在なメモリスロット１０２を有し、さらに、図３に示す構成を有する。
【００１７】
すなわち、図３に示すように、主制御部であるＭＣＵ１１１に、メモリスロット１０２、給湯装置制御用の給湯制御部１１２、複数の運転パターン（プログラムデータ）およびカレンダー情報が記憶された不揮発性メモリたとえばＥＥＰＲＯＭ１１３、制御データ・制御プログラム記憶用のＲＯＭ１１４、画像データ記憶用のＤＲＡＭ１１５、タッチパネル式液晶表示器１０１の表示を制御するＦＰＧＡ１１６、パーソナルコンピュータ等の外部機器２０１の接続が可能なインターフェース（Ｉ／Ｆ）１１７などが接続されている。
【００１８】
上記ＥＥＰＲＯＭ１１３内の各運転パターンは、開放型タンク５に貯まる温水の量いわゆる貯湯量、各熱源機１におけるヒートポンプ式冷凍サイクルの加熱能力、各熱源機１による沸き上げ設定温度、貯湯量１００（％）および加熱能力１００（％）のパワフルモード、夜間電力利用の省エネモードなどの各種運転条件を時間経過に従って時々刻々と指定するためのものであり、使用者の温水の使用形態や効率的な運転を考慮して種々用意されている。
【００１９】
また、給湯装置用リモートコントローラ１００は、商用交流電源２０２の電圧を動作用電圧に変換する電源回路１２０を有している。この電源回路１２０の動作用電圧がアンド回路１２１を介してＭＣＵ１１１に供給される。アンド回路１２１は、ＭＣＵ１１１に対する動作用電圧の供給を時計回路１２２の出力に応じてオン，オフ制御する。時計回路１２２は、カレンダー機能を有し、予め定められている日時にアンド回路１２１をオン，オフする。また、電源回路１２０から出力される動作用電圧がバックアップ電源回路１２３に充電され、その充電電圧がＭＣＵ１１１に供給されるとともに、ＭＣＵ１１１に対する各種設定条件切換用の切換スイッチ１２４に供給される。
【００２０】
なお、ＥＥＰＲＯＭ１１３には、複数の運転パターン（プログラムデータ）が記憶されている。このＥＥＰＲＯＭ１１３内の運転パターンについては、メモリスロット１０２に外付けメモリ２００を装着することにより、そのメモリ２００内の運転パターンに更新することが可能である。
【００２１】
ＭＣＵ１１１は、主要な機能として、次の（１）〜（４）の手段を有する。  
（１）ＥＥＰＲＯＭ１１３内の各運転パターンまたはメモリスロット１０２に装着される外付けメモリ２００内の運転パターンのいずれかをタッチパネル式液晶表示器１０１に対するタッチ操作に応じて選択的に設定する設定手段。
【００２２】
（２）上記設定手段で設定される運転パターンに応じた制御指令を上記給湯制御部１１２に与えて給湯装置の運転を制御するとともに、設定される運転パターンのうちの平日と休日の運転パターンを前後の曜日に従って適宜に校正する運転制御手段。
【００２３】
（３）ＥＥＰＲＯＭ１１３内の各運転パターンのうち、運転パターンの設定用として、少なくとも業態別パターン設定画面および曜日・日別パターン設定画面をタッチパネル式液晶表示器１０１で選択的に表示する表示制御手段。業態別パターン設定画面は、各熱源機１に対する設定加熱能力の棒グラフ状の表示および開放型タンク５に対する設定貯湯量の棒グラフ状の表示を含む。
【００２４】
（４）上記設定手段で設定される運転パターンにおける例えば加熱能力および沸き上げ設定温度を、各熱源機１に設置されている各外気温度センサＴoの検知温度に応じて、あるいは外部機器２０１から入力される補正データに応じて、あるいはＲＯＭ１１４などに予め記憶されている月別補正データに応じて、補正する補正手段。
【００２５】
作用について説明する。  
まず、給湯装置の作用について説明する。  
給湯装置用リモートコントローラ１００で設定された運転パターンに応じて各熱源機１の運転台数が決定される。例えば、実際に設置された熱源機１の台数が１０台で、運転パターンの設定加熱能力が１００（％）に設定されていれば全台数の１０台の熱源機１が運転される。設定加熱量が７０（％）に設定されていれば７台、５０（％）であれば５台、３０（％）であれば３台の熱源機１が運転される。また、運転パターンの設定貯湯量に対する開放型タンク５の実際の貯湯量に応じて各熱源機１の運転台数の増減が行われる。このように複数台の熱源機１を備え、その各熱源機１の運転台数を変えることができるので、全体の給湯能力を増大できるとともに、その給湯能力を広範囲で調節することができる。
【００２６】
熱源機１の運転開始に際し、ヒートポンプ式冷凍サイクルの運転およびポンプ２４の運転が開始され、図４に示す条件に基づき、熱交換器温度センサ３１の検知温度Ｔcが設定値Ｔcsに達するまで、または流入側温度センサ３２の検知温度Ｔwiが設定値Ｔwisに達するまで、第２三方弁２６の第３流路が閉じられて第４流路が開かれ、かつ第１三方弁２２の第１流路が開かれて第２流路が閉じられる。これにより、図２に矢印で示すように、ヒートポンプ式冷凍サイクルにおいて、圧縮機１１の吐出冷媒が四方弁１２、水熱交換器１３、膨張弁１４、室外熱交換器１５、四方弁１２を通って圧縮機１１に吸込まれる流れが生じて水熱交換器が凝縮器として機能する。水サイクルでは、水がポンプ２４、水熱交換器１３、第３配管２５、第２三方弁２６の第４流路、第６配管２９、第１配管２１、第１三方弁２２の第１流路を通って循環する初期循環回路が形成される。
【００２７】
この初期循環回路の形成後、図４に示す条件に基づき、熱交換器温度センサ３１の検知温度Ｔcが設定値Ｔcsを超えたとき、または流入側温度センサ３２の検知温度Ｔwiが設定値Ｔwisを超えたとき、第１三方弁２２の第１流路が開かれて第２流路が閉じられ、かつ第２三方弁２６の第３流路が開かれて第４流路が閉じられる。これにより、図５に矢印で示すように、給水側主配管２の水が第１配管２１、第１三方弁２２の第１流路、第２配管２３、ポンプ２４を通って水熱交換器１３に送られ、その水熱交換器１３から流出する温水が第３配管２５、第２三方弁２６の第３流路、第４配管２７、第５配管２８を通って給湯側主配管３に送られる出湯回路が形成される。
【００２８】
このように、運転開始時は、先ず初期循環回路を形成して水熱交換器１３を温め、水熱交換器１３が十分に温まってから給湯側主配管３への出湯を行うことにより、給湯側主配管３を流れる温水の不要な温度低下を回避することができて、十分に温度上昇した高温水が給湯側主配管３および密閉型タンク４に供給される。
【００２９】
停止中の熱源機１では、第２三方弁２６の第３流路が閉じられて第４流路が開かれ、かつ第１三方弁２２の第１流路が開かれて第２流路が閉じられ、給湯回路が解除されて図２の初期循環回路が準備される。これにより、運転中の熱源機１で作られた給湯側主配管３内の温水が停止中の熱源機１の水サイクルに流入することがなくなり、運転中の熱源機１で作られた温水およびその熱エネルギを無駄なく密閉型タンク４に供給して貯えることができ、省エネルギ性および信頼性の向上が図れる。
【００３０】
つぎに、給湯装置用リモートコントローラ１００の作用について説明する。  
タッチパネル式液晶表示器１０１における各画面表示の階層の要部を図６に示し、その各画面表示の具体例を図７〜図１５に示している。  
初めに“起動時メニュー画面”（図７）が表示される。“起動時メニュー画面”には、“運転モニターボタン”、“運転パターン設定ボタン”、“ガイドボタン”、“運転履歴ボタン”、“機能設定ボタン”、“サービスボタン”があり、タッチ操作により各設定画面が選択的に表示される。
【００３１】
“運転モニター画面”は、給湯装置の現在の運転状況を表示させる画面で、図８に示すように、開放型タンク５における現在の貯湯量と、現在の時刻を中心とした前後１２時間の設定貯湯量が棒グラフ状で表示され、１２時間前から現在までの残湯量の推移が折れ線グラフ状で表示される。“≪（左）ボタン”がタッチ操作されるとグラフ表示の中心が１時間前に移動し、１２時間前より古い設定貯湯量および残湯量の推移が表示される。“≫（右）ボタン”がタッチ操作されるとグラフ表示の中心が１時間後に移動し、１２時間後より未来の設定貯湯量が表示される。さらに、“運転モニター画面”には、給湯装置の運転を手動で操作するための“運転ボタン”、“停止ボタン”、“フルパワーボタン”がある。“運転ボタン”および“停止ボタン”のタッチ操作により熱源機１の運転および停止を行い、“フルパワーボタン”のタッチ操作により貯湯量１００（％）および加熱能力１００（％）のパワフルモードで熱源機１を運転させる。また、“メニューボタン”のタッチ操作により“起動時メニュー画面”に戻ることができる。
【００３２】
“運転パターン設定画面”は、給湯装置の自動運転パターンを設定する画面で、図９に示すように、“業態別ボタン”、“曜日・日別設定ボタン”、“ピークシフト設定ボタン”、“月別沸き上げ設定ボタン”および“戻るボタン”がある。
【００３３】
“業態別ボタン”がタッチ操作されると、表示が図１０に示す“業態別パターン設定画面”に切換わる。“業態別パターン設定画面”には、給湯装置が設置される施設の種類（業態）を考慮して予めプログラムされた複数の運転パターンの中から、使用者が設置する施設に適用可能な運転パターンを選択できるように複数の“業態別ボタン”がある。この複数の“業態別ボタン”で選択設定できる業態としては、例えば、“ホテル／スポーツジム”、“福祉／病院”、“給食／食堂”、“寮”などが挙げられる。また、“業態別パターン設定画面”には、“業態別ボタン”の他に、予めカスタムされた運転パターンを設定するための“カスタムボタン”、昼間の沸き増し量を設定するための“少なめボタン”、“普通ボタン”、“多めボタン”、設定確定用の“確定ボタン”、および前の画面に戻るための“戻るボタン”がある。さらに“業態別パターン設定画面”には、選択された運転パターンに応じて、熱源機１に対する時刻単位の設定加熱能力および開放型タンク５に対する時刻単位の設定貯湯量が棒グラフ状で表示され、使用者が運転パターンを選択する際に視覚的に分かり易い。この“業態別パターン設定画面”で選択設定された運転パターンが以降の給湯装置の基本的な運転パターンとなる。
【００３４】
“運転パターン設定画面”の“曜日・日別設定ボタン”がタッチ操作された場合は、表示が図１１に示す上記“曜日・日別設定画面”に切換わる。“曜日・日別設定画面”には、当月のカレンダーが表示され、当日を示す枠が表示される。カレンダーの“曜日”表示部分に曜日を選択するための７つの“曜日ボタン”、絡んだーの“日”表示部分が日を選択するための“日ボタン”になっており、その他に年月を増減設定するための２つの“矢印ボタン”および前の画面に戻るための“戻るボタン”がある。任意の“曜日ボタン”がタッチ操作された場合は、表示が図１２に示す“曜日・日別パターン設定画面”に切換わる。“曜日・日別パターン設定画面”には、標準運転パターンを設定する“標準ボタン”、標準運転よりも昼間の沸き増し量を多めに設定した運転パターンにする“＋ボタン”、逆に少なめに設定した運転パターンにする“−ボタン”、貯湯量１００（％）および加熱能力１００（％）のパワフルモードで熱源機１を運転させるためのフルパワー運転にする“フルパワーボタン”、休日を設定する“休みボタン”、使用者が加熱量および目標貯湯量を自由に設定した“特１ボタン”〜“特３ボタン”、選択された運転パターンを確定するための“確定ボタン”、前画面の“曜日・日別パターン設定画面”に戻るための“戻るボタン”がある。さらに、“曜日・日別パターン設定画面”には、選択された運転パターンに応じて、熱源機１に対する時刻単位の設定加熱能力および開放型タンク５に対する時刻単位の設定貯湯能力が棒グラフ状で表示される。
【００３５】
例えば、“曜日・日設定画面”で“日曜日ボタン”タッチ操作されると、“曜日・日別パターン設定画面”に切換わる。使用者は上述した“標準ボタン”〜“特３ボタン”の８つの運転パターンの中から好みの運転パターンを選択する。例えば、“休みボタン”がタッチ操作されると、“休み”に対応した運転パターンが棒グラフ状に表示される。“確定ボタン”をタッチ操作すると、“曜日・日設定画面”に切換わり、当日以降の日曜日に該当する“日”が“休みパターン”の色（例えば黒地表示）に変更され、非地曜日が“休日”として設定されたことが確認できる。“曜日・日設定画面”での任意の“日ボタン”をタッチ操作しても上述した“曜日・日別パターン設定画面”が表示され、“日”別の運転パターンを設定できる。
【００３６】
上述の“曜日・日別パターン設定画面”で選択可能な“休みボタン”、“フルパワーボタン”および“特１ボタン”〜“特３ボタン”の運転パターンは、図１３に示す“運転パターン変更画面”で使用者が自由に設定変更可能である。この画面は“起動メニュー画面”（図７）の“機能設定ボタン”をタッチ操作し表示される。“機能設定画面”（図示しない）の“運転パターン設定ボタン”をタッチ操作することで表示される。
【００３７】
“運転パターン変更画面”では、変更する運転パターンを２つの“矢印ボタン”で選択し、時刻毎の加熱能力量および貯湯量を変更できる。さらに、熱源機１に対する時刻単位の設定加熱能力および開放型タンク５に対する時刻単位の設定貯湯量が棒グラフ状で表示され、２つの“矢印ボタン”で時刻を変更するとその時刻に対応した棒グラフが例えば赤色（図示黒塗り）で表示されるようになっている。これにより設定変更が視覚的に分かり易くなる。“運転パターン設定画面”（図９）の“ピークシフト設定ボタン”がタッチ操作された場合は、表示が図１４に示す“ピークシフト設定画面”に切換わる。“ピークシフト設定画面”には、加熱量のピーク値を所定の期間および時間においてシフトするか否かを指定するための“ありボタン”と“なしボタン”、加熱量のピーク値を増減設定するための２つの“矢印ボタン”、設定確定用の“確定ボタン”、および前の画面に戻るための“戻るボタン”がある。
【００３８】
“運転パターン設定画面”（図９）の“月別沸上げ設定ボタン”がタッチ操作された場合は、表示が図１５に示す“月別沸上げ設定画面”に切換わる。“月別沸上げ設定画面”には、月別沸上げ温度の高・低を設定するための“低ボタン”と“高ボタン”が１月〜１２月の月別に用意されているとともに、設定確定用の“確定ボタン”、および前の画面に戻るための“戻るボタン”がある。ところで、各運転パターンは、図１６に示すように、カレンダー情報（年・月・日・時・分）上に階層化されている。すなわち、タイムテーブルＸ１上に業態別運転パターンＸ２が割り当てられ、その業態別運転パターンＸ２上に曜日別運転パターンＸ３が割り当てられている。さらに、曜日別運転パターンＸ３上に日別運転パターンＸ４が割り当てられ、その日別運転パターンＸ４上に手動運転パターンＸ５が割り当てられている。これら運転パターンには、Ｘ５＞Ｘ４＞Ｘ３＞Ｘ２の順に、実行の優先順位がある。
【００３９】
例えば、業態別運転パターンＸ２で運転中に使用者が現在の給湯装置の運転が適切でないと判断し、特定の曜日の運転パターンを変更した場合は、以後の特定の曜日は優先順位の高い曜日別運転パターンＸ３に応じた運転が実行される。同様に、特定の日の運転パターンを変更した場合は、優先順位の高い日別運転パターンＸ４に応じた運転が実行される。さらに、“運転モニター画面”で“運転ボタン”、“停止ボタン”、“フルパワーボタン”が操作された場合は、優先順位の高い手動運転パターンＸ５に応じた運転が実行される。
【００４０】
なお、使用者によるタッチパネル式液晶表示器１０１の操作によって現状の運転パターンが解除された場合、過去に設定された運転パターン（１日前の運転パターン、前週同曜日の運転パターン、１月前の運転パターン）のいずれかを実績ありとの判断の下に、自動選択して新たに設定してもよい。
【００４１】
一方、電力会社の料金体系に従い、夜１０時過ぎから翌朝８時までの夜間時間帯に運転し、朝８時過ぎから夜１０時までの昼間時間帯は必要最小限の追いかけ運転をするのが一般的であるが、休日は温水の使用がなくて平日は温水の使用があるというような条件の下では、例えば図１７に示すように、休日の前日（休日前平日）に高い貯湯量１００（％）が設定されるとエネルギが無駄に消費されることになり、平日の前日（平日前休日）に低い貯湯量２０（％）が維持されると翌日になって温水不足を招いてしまう。
【００４２】
このような不都合を防ぐため、設定される運転パターンのうち、休日前平日と平日前休日の運転パターンが、前後の曜日に従って適宜に校正される。すなわち、図１８に示すように、休日の前日（休日前平日）の夜１０時から貯湯量が例えば２０（％）に低減されてエネルギの無駄な消費が回避され、平日の前日（平日前休日）の夜１０時から貯湯量が例えば１００（％）に高められて翌日の温水不足が解消される。
【００４３】
また、運転に使用される運転パターンが各熱源機１に設置されている各外気温度センサの検知温度に応じて適宜に補正される。外気温度は給湯運転に熱的な影響を与え易いため、このような補正を採用して熱的影響を解消している。
【００４４】
以上、タッチパネル式の給湯装置用リモートコントローラ１００を設けることにより、複数の運転パターンの容易な設定が可能となる。とくに、運転条件を時間経過に合せて細かく設定する面倒な作業が不要となり、使用者の負担を大幅に軽減できる。しかも、業態の違いつまり使用者の温水の使用形態に合せた効率の良い運転パターンを選択できるという効果が得られる。
【００４５】
しかも、外付けメモリ２００の装着によって多種多様の運転パターンを組込むことができるので、この点でも、温水の使用形態に合せた効率の良い最適な給湯が可能となり、汎用性および省エネルギ性が向上する。
【００４６】
なお、上記実施形態では、開放型タンク５が１つの場合を例に説明したが、開放型タンク５が複数設けられている場合も同様に実施可能である。その他、この発明は上記実施形態に限定されるものではなく、要旨を変えない範囲で種々変形実施可能である。
【図面の簡単な説明】
【００４７】
【図１】一実施形態の外観および一実施形態に関わる給湯装置の構成を示す図。
【図２】図１の給湯装置おける熱源機の具体的な構成および初期循環回路を示す図
【図３】一実施形態の構成を示すブロック図。
【図４】図１の給湯装置おける熱源機の初期循環回路と出湯回路との切換条件を示す図。
【図５】図１の給湯装置おける熱源機の出湯回路を示す図。
【図６】一実施形態における各画面表示の階層の要部を示す図。
【図７】一実施形態における起動時メニュー画面を示す図。
【図８】一実施形態における運転モニター画面を示す図。
【図９】一実施形態における運転パターン設定画面を示す図。
【図１０】一実施形態における業態別パターン設定画面を示す図。
【図１１】一実施形態における曜日・日別設定画面を示す図。
【図１２】一実施形態における曜日・日別パターン設定画面を示す図。
【図１３】一実施形態における運転パターン変更画面を示す図。
【図１４】一実施形態におけるピークシフト設定画面を示す図。
【図１５】一実施形態における月別沸上げ設定画面を示す図。
【図１６】一実施形態における各運転パターンの階層を説明するための図。
【図１７】一実施形態に関わる運転パターンの不具合を示す図。
【図１８】図１７の運転パターンが補正された状態を示す図。
【符号の説明】
【００４８】
１…熱源機、２…給水側主配管、３…給湯側主配管、４…システムタンクユニット、４ａ…密閉型タンク、４ｂ…流量調整弁、５…開放型タンク、６…温水配管、７…水位検出手段、１１…圧縮機、１３…水熱交換器、１４…膨張弁（減圧器）、１５…室外熱交換器、２１…第１配管、２２…第１三方弁、２３…第２配管、２４…ポンプ、２５…第３配管、２６…第２三方弁、２７…第４配管、２８…第５配管、２９…第６配管、１００…給湯装置用リモートコントローラ、１０１…タッチパネル式液晶表示器（タッチパネル式表示部）、１０２…メモリスロット、１１１…ＭＣＵ、２００…外付けメモリ、
【図１】
0005068601.tif 000002
【図２】
0005068601.tif 000003
【図３】
0005068601.tif 000004
【図４】
0005068601.tif 000005
【図５】
0005068601.tif 000006
【図６】
0005068601.tif 000007
【図７】
0005068601.tif 000008
【図８】
0005068601.tif 000009
【図９】
0005068601.tif 000010
【図１０】
0005068601.tif 000011
【図１１】
0005068601.tif 000012
【図１２】
0005068601.tif 000013
【図１３】
0005068601.tif 000014
【図１４】
0005068601.tif 000015
【図１５】
0005068601.tif 000016
【図１６】
0005068601.tif 000017
【図１７】
0005068601.tif 000018
【図１８】
0005068601.tif 000019